(57)【要約】【課題】内容物を被塗布部に塗布しながらまたは塗布した後に被塗布部に刺激を与えることが可能な塗布容器を提供すること。【解決手段】計量筒部材６には、その外周面から径方向の外側に向けて全周にわたって突出する基壁部２６と、基壁部２６の外周縁から上方に向けて全周にわたって突出する周壁部２７と、が一体に形成されており、オーバーキャップ８には、塗布栓部材７に離脱可能に係止し、当該オーバーキャップ８の離脱時に塗布栓部材７を計量位置に移動させる係止筒部６４と、計量筒部材６の外周面に当接する内シール筒部６３と、周壁部２７の外周面に当接する外シール筒部６２と、が設けられており、基壁部２６には、内容物を塗り広げるブラシ歯３３が立設されている。【選択図】図２
2019043588.tif 000002
【特許請求の範囲】
【請求項１】
被塗布部に塗布する内容物が収容される有底筒状の容器本体と、
前記容器本体の口部に装着され、前記容器本体内に連通する連通孔が形成された中栓部材と、
前記連通孔を通して前記容器本体内に連通する計量室を前記中栓部材との間に形成すると共に、頂部に前記計量室に連通する吐出孔が形成された計量筒部材と、
前記計量室に設けられると共に、先端が前記吐出孔から前記計量室の外部に突出される塗布栓部材と、
前記容器本体の前記口部に着脱自在に装着されるオーバーキャップと、
を備え、
前記塗布栓部材が、
前記吐出孔と前記計量室との連通を遮断し、かつ、前記計量室と前記連通孔とを連通させる計量位置と、
前記計量位置よりも容器軸方向に沿う前記容器本体の底部側に位置すると共に、前記計量室と前記連通孔との連通を遮断し、かつ、前記吐出孔と前記計量室とを連通させる塗布位置と、の間を前記容器軸方向に移動自在に配設されており、
前記計量筒部材には、その外周面から径方向の外側に向けて全周にわたって突出する基壁部と、前記基壁部の外周縁から前記容器軸方向に沿う前記オーバーキャップの天壁部側に向けて全周にわたって突出する周壁部と、が一体に形成されており、
前記オーバーキャップには、前記塗布栓部材に離脱可能に係止し、当該オーバーキャップの離脱時に前記塗布栓部材を前記計量位置に移動させる係止筒部と、前記計量筒部材の外周面に当接する内シール筒部と、前記周壁部の外周面に当接する外シール筒部と、が設けられており、
前記基壁部には、内容物を塗り広げるブラシ歯が立設されていることを特徴とする塗布容器。
【請求項２】
前記ブラシ歯が、弾性変形可能に形成されており、
前記ブラシ歯の先端部が、前記塗布位置に位置する前記塗布栓部材の頂部よりも前記容器軸方向に沿う前記オーバーキャップの天壁部側に突出していることを特徴とする請求項１に記載の塗布容器。
【請求項３】
前記ブラシ歯の先端部が、前記塗布位置に位置する前記塗布栓部材の頂部に対して前記容器軸方向に沿う同等の位置または前記容器軸方向に沿う前記容器本体の底部側に位置することを特徴とする請求項１に記載の塗布容器。
【発明の詳細な説明】
【技術分野】
【０００１】
本発明は、塗布容器に関する。
【背景技術】
【０００２】
この種の塗布容器として、被塗布部に塗布する内容物が収容される有底筒状の容器本体と、容器本体の口部に装着され、容器本体内に連通する連通孔が形成された中栓部材と、連通孔を通して容器本体内に連通する計量室を中栓部材との間に形成すると共に、頂部に計量室に連通する吐出孔が形成された計量筒部材と、計量室に設けられると共に、先端が吐出孔から計量室の外部に突出される塗布栓部材と、容器本体の口部に着脱自在に装着されるオーバーキャップと、を備え、塗布栓部材が、吐出孔と計量室との連通を遮断し、かつ、計量室と連通孔とを連通させる計量位置と、計量位置よりも容器軸方向に沿う容器本体の底部側に位置すると共に、計量室と連通孔との連通を遮断し、かつ、吐出孔と計量室とを連通させる塗布位置と、の間を容器軸方向に移動自在に配設されているものが知られている（例えば、特許文献１参照）。
【先行技術文献】
【特許文献】
【０００３】
【特許文献１】特許第３７５９４２８号公報
【発明の概要】
【発明が解決しようとする課題】
【０００４】
しかしながら、このような塗布容器においても、内容物を被塗布部に塗布しながらまたは塗布した後に被塗布部に刺激を与えることが可能であることが求められている。
【０００５】
そこで、本発明は、内容物を被塗布部に塗布しながらまたは塗布した後に被塗布部に刺激を与えることが可能な塗布容器を提供することを目的とする。
【課題を解決するための手段】
【０００６】
本発明は、上記課題を解決するために以下のような手段を採用した。すなわち、本発明の塗布容器は、被塗布部に塗布する内容物が収容される有底筒状の容器本体と、前記容器本体の口部に装着され、前記容器本体内に連通する連通孔が形成された中栓部材と、前記連通孔を通して前記容器本体内に連通する計量室を前記中栓部材との間に形成すると共に、頂部に前記計量室に連通する吐出孔が形成された計量筒部材と、前記計量室に設けられると共に、先端が前記吐出孔から前記計量室の外部に突出される塗布栓部材と、前記容器本体の前記口部に着脱自在に装着されるオーバーキャップと、を備え、前記塗布栓部材が、前記吐出孔と前記計量室との連通を遮断し、かつ、前記計量室と前記連通孔とを連通させる計量位置と、前記計量位置よりも容器軸方向に沿う前記容器本体の底部側に位置すると共に、前記計量室と前記連通孔との連通を遮断し、かつ、前記吐出孔と前記計量室とを連通させる塗布位置と、の間を前記容器軸方向に移動自在に配設されており、前記計量筒部材には、その外周面から径方向の外側に向けて全周にわたって突出する基壁部と、前記基壁部の外周縁から前記容器軸方向に沿う前記オーバーキャップの天壁部側に向けて全周にわたって突出する周壁部と、が一体に形成されており、前記オーバーキャップには、前記塗布栓部材に離脱可能に係止し、当該オーバーキャップの離脱時に前記塗布栓部材を前記計量位置に移動させる係止筒部と、前記計量筒部材の外周面に当接する内シール筒部と、前記周壁部の外周面に当接する外シール筒部と、が設けられており、前記基壁部には、内容物を塗り広げるブラシ歯が立設されていることを特徴とする。
【０００７】
この発明では、塗布栓部材が計量位置にある状態で塗布栓部材を被塗布部に押し付けると、塗布栓部材が塗布位置へ移動し、計量室にある計量された内容物が吐出孔を通して被塗布部に塗布されるが、基壁部にブラシ歯が立設されているので、塗布しながらまたは塗布した後にブラシ歯で被塗布部に刺激を与えることができる。また、被塗布部への塗布後にオーバーキャップを容器本体の口部に装着すると、内シール筒部が計量筒部材の外周面に当接すると共に外シール筒部が周壁部の外周面に当接するので、ブラシ歯に異物が付着したりブラシ歯に付着している内容物が塗布容器の外部に漏出したりすることが抑制される。
【０００８】
また、本発明の塗布容器では、前記ブラシ歯が、弾性変形可能に形成されており、前記ブラシ歯の先端部が、前記塗布位置に位置する前記塗布栓部材の頂部よりも前記容器軸方向に沿う前記オーバーキャップの天壁部側に突出していてもよい。
この発明では、計量位置に位置する塗布栓部材を被塗布部に押し付けたときに、ブラシ歯の先端部も被塗布部に押し付けられる。この際、ブラシ歯が弾性変形するので、塗布栓部材の計量位置から塗布位置への移動は、ブラシ歯によって阻害されない。また、ブラシ歯が塗布栓部材の頂端部よりも突出しているので、ブラシ歯が被塗布部に確実に刺激を与えることができる。
【０００９】
また、本発明の塗布容器では、前記ブラシ歯の先端部が、前記塗布位置に位置する前記塗布栓部材の頂部に対して前記容器軸方向に沿う同等の位置または前記容器軸方向に沿う前記容器本体の底部側に位置してもよい。
この発明では、弾性変形不能に形成されたブラシ歯の先端が計量位置に位置する塗布栓部材よりも容器軸方向に突出していないので、計量位置に位置する塗布栓部材を被塗布部に押し付けたときに、塗布栓部材の計量位置から塗布位置への移動は、ブラシ歯によって阻害されない。また、ブラシ歯を弾性変形可能に形成した場合と比較して、ブラシ歯が十分な剛性を有することとなり、被塗布部に対して強い刺激を与えることができる。さらに、ブラシ歯を計量筒部材と一体に形成することにより、部品点数を削減することができる。
【発明の効果】
【００１０】
この発明にかかる塗布容器によれば、内容物の塗布中または塗布後にブラシ歯で被塗布部に刺激を与えることができると共に、使用後にオーバーキャップを容器本体の口部に装着させるだけで、ブラシ歯に異物が付着することやブラシ歯に付着している内容物が塗布容器の外部に漏出することを抑制できる。
【図面の簡単な説明】
【００１１】
【図１】本発明の第１実施形態にかかる塗布容器を示す軸方向断面図である。
【図２】図１の塗布容器を示す部分拡大図である。
【図３】図２の計量筒部材及び塗布栓部材を示す上面図である。
【図４】図１の塗布容器の使用方法を説明する軸方向断面図である。
【図５】同じく、図１の塗布容器の使用方法を説明する軸方向断面図である。
【図６】本発明の第２実施形態にかかる塗布容器を示す軸方向断面図である。
【図７】図６の計量筒部材及び塗布栓部材を示す上面図である。
【発明を実施するための形態】
【００１２】
以下、本発明による塗布容器の第１実施形態を、図面に基づいて説明する。なお、以下の説明に用いる各図面では、各部材を認識可能とするために縮尺を適宜変更している。
本実施形態にかかる塗布容器１は、例えば人体の頭皮や皮膚などの被塗布部Ｓ（図５参照）に塗布される育毛剤や薬液などの内容物を収容している。
塗布容器１は、図１及び図２に示すように、内容物を収容する有底筒状の容器本体２と、容器本体２の口部３に装着され、連通孔４Ａが形成された有底筒状の中栓部材４と、連通孔４Ａを通して容器本体２内に連通する計量室５を中栓部材４との間に形成すると共に、頂部に計量室５に連通する吐出孔６Ａが形成された筒状の計量筒部材６と、計量室５に設けられると共に、先端が吐出孔６Ａから計量室５の外部に突出される筒状の塗布栓部材７と、容器本体２の口部３に着脱自在に装着される有頂筒状のオーバーキャップ８と、を備える。
【００１３】
ここで、これら容器本体２、中栓部材４、計量筒部材６、塗布栓部材７及びオーバーキャップ８は、それらの中心軸線が共通軸上に位置する状態で配設されている。以下、この中心軸線を容器軸Ｏと称し、図１においてこの容器軸Ｏに沿って容器本体２からオーバーキャップ８に向かう方向を上方、その逆方向を下方とする。また、容器軸Ｏから見た平面視で容器軸Ｏに直交する方向を径方向、容器軸Ｏ回りで周回する方向を周方向とする。
【００１４】
容器本体２の口部３の外周面には、二条ネジである雄ネジ部が形成されている。また、口部３の上端部の外径は、口部３のうちこの上端部よりも下側の部分よりも小径とされており、この上端部の外周面には、図２に示すように、径方向外側に向けて突出する第１係止突部が全周にわたって形成されている。また、口部３の下端部には、径方向外側に向けて突出する第１回止リブ部が形成されている。
【００１５】
中栓部材４は、容器本体２の口部３内に配設される有底円筒状の受筒部１１と、受筒部１１の底壁部１１Ａの中央部から上方に向けて突設された円柱状の支持棒部１３と、容器本体２の口部３の内側に嵌合する円筒状の内嵌合筒部１４と、受筒部１１の上端と内嵌合筒部１４の上下方向の中間部とを連結する平面視で円環状の第１連結フランジ部１５と、内嵌合筒部１４よりも径方向外側に配設された円筒状の外嵌合筒部１６と、第１連結フランジ部１５よりも上方において内嵌合筒部１４の外周面と外嵌合筒部１６の下端とを連結する平面視で円環状の第２連結フランジ部１７と、を有する。これら受筒部１１、支持棒部１３、内嵌合筒部１４、第１連結フランジ部１５、外嵌合筒部１６及び第２連結フランジ部１７は、容器軸Ｏと同軸に配設されている。
【００１６】
受筒部１１には、周方向に間隔をあけて複数の連通孔４Ａが形成されており、受筒部１１内は、連通孔４Ａを通して容器本体２内に連通している。また、連通孔４Ａは、受筒部１１の底壁部１１Ａから周筒部１１Ｂにわたって連なって形成されている。
支持棒部１３の下端部には、径方向外側に向けて突出する支持リブ部１３Ａが周方向に間隔をあけて複数形成されている。支持リブ部１３Ａの下端は、受筒部１１の底壁部１１Ａに連なっている。支持リブ部１３Ａの上端は、受筒部１１の周筒部１１Ｂの上端よりも下方かつ連通孔４Ａの開口縁よりも上方に位置している。
【００１７】
内嵌合筒部１４のうち上下方向で第１連結フランジ部１５との接続部分と第２連結フランジ部１７との接続部分との間における外周面は、口部３内に嵌合されている。
外嵌合筒部１６の上端部の外周面には、第２係止突部が全周にわたって形成されている。また、外嵌合筒部１６及び第２連結フランジ部１７は、口部３の上端に当接している。
【００１８】
計量筒部材６は、容器本体２の口部３の上端部に装着される円筒状の装着筒部２１と、装着筒部２１よりも上方に位置する円筒状の吐出筒部２２と、装着筒部２１の上端と吐出筒部２２の下端とを連結する円筒状の連結筒部２３と、を有する。これら装着筒部２１、吐出筒部２２及び連結筒部２３は、容器軸Ｏと同軸に配設されている。
【００１９】
装着筒部２１は、円筒状の側壁部２４と、側壁部２４の上端から径方向内側に突出し、連結筒部２３の下端に連なる平面視で円環状の環状壁部２５と、を有する。
側壁部２４の上端部の内周面には、外嵌合筒部１６に形成された上記第２係止突部に下方から係止し、径方向内側に向けて突出する第３係止突部が全周にわたって形成されている。また、側壁部２４の下端部の内径は、この下端部よりも上方にある上端部の内径よりも大径とされており、側壁部２４の下端部には、口部３の上端部に形成されている上記第１係止突部に係止し、径方向内側に向けて突出する第４係止突部が全周にわたって形成されている。
【００２０】
環状壁部２５は、外嵌合筒部１６の上端に当接しており、環状壁部２５の内周縁部には、下方に向けて突出する円筒状の垂下筒部２５Ａが形成されている。垂下筒部２５Ａは、内嵌合筒部１４と外嵌合筒部１６との間に配設されており、内嵌合筒部１４及び外嵌合筒部１６のうちの少なくとも一方に嵌合して計量室５における中栓部材４と計量筒部材６との連結部分の液密性を確保している。
【００２１】
連結筒部２３の内径及び外径は、下端から上方に向かうにしたがって漸次縮径している。本実施形態では、計量筒部材６の連結筒部２３と、中栓部材４の内嵌合筒部１４、第１連結フランジ部１５及び受筒部１１と、によって、計量室５が区画されている。
連結筒部２３の上端部の外周面には、径方向外側に向けて突出する平面視で円環状の基壁部２６と、基壁部２６の外周縁から上方に向けて延在する円筒状の周壁部２７と、が連結筒部２３（計量筒部材６）と一体に形成されている。これら基壁部２６及び周壁部２７は、容器軸Ｏと同軸に配設されている。
基壁部２６は、その径方向外側部分が径方向内側部分よりも上方に位置した段状に形成されている。なお、基壁部２６は、例えば円環板状など、段状に形成されていなくてもよい。
周壁部２７の上端は、吐出筒部２２の上端よりも下方に位置している。
【００２２】
吐出筒部２２、基壁部２６及び周壁部２７によって区画される凹部には、ブラシ部材３１が収容されている。ブラシ部材３１は、平面視で円環状の基台３２と、基台３２の上面に立設された複数のブラシ歯３３と、を有する。
基台３２の径方向内側の縁部は、下方に向けて突出しており、吐出筒部２２及び基壁部２６の上記径方向内側部分によって区画された凹部に配設されている。また、基台３２の上面は、周壁部２７の上端よりも下方に位置している。
ブラシ歯３３は、計量筒部材６よりも軟らかい材料で形成されており、図２及び図３に示すように、基台３２の径方向外周縁部に立設されている。また、ブラシ歯３３は、径方向に間隔をあけて２列配設されている。ブラシ歯３３の上端は、図２に示すように、塗布栓部材７の後述する上側筒部４４の上端及び吐出筒部２２の上端よりも上方に位置している。なお、ブラシ歯３３の一部は、形状や太さを異ならせたりすることによって、他のブラシ歯３３よりも弾性変形しやすくされたり弾性変形しにくくされてもよい。
また、ブラシ歯３３と基台３２とを計量筒部材６よりも軟らかい材料で一体成形することにより、ブラシ歯３３だけでなく基台３２も弾性変形可能に形成してもよい。
【００２３】
塗布栓部材７は、平面視で円状の上壁部４１と、上壁部４１の外周縁から下方に向けて延設された円筒状の下側筒部４２と、下側筒部４２よりも径方向内側において上壁部４１から下方に向けて延設された円筒状の案内筒部４３と、上壁部４１の外周縁から上方に向けて延設された円筒状の上側筒部４４と、上壁部４１の中央部から上方に向けて延設された円柱状の軸部４５と、を有する。これら上壁部４１、下側筒部４２、案内筒部４３、上側筒部４４及び軸部４５は、容器軸Ｏと同軸に配設されている。
【００２４】
上壁部４１の外径は、吐出筒部２２の内径よりも小径とされている。
下側筒部４２は、円筒状の上シール筒部４６と、上シール筒部４６の下端に連設され、内径及び外径が上シール筒部４６よりも大径とされた円筒状の下シール筒部４７と、を有する。
上シール筒部４６の外径は、吐出筒部２２の内径と同等とされており、上シール筒部４６は、吐出筒部２２の内周面に摺接可能である。また、上シール筒部４６の上端部の内径及び外径は、下方に向かうにしたがって拡径しており、図２に示す状態（塗布位置）において、上シール筒部４６の上端部の外周面は、吐出筒部２２の内周面から離間している。
【００２５】
下シール筒部４７の外径は、吐出筒部２２の内径よりも大径とされており、受筒部１１の周筒部１１Ｂの内径と同等とされている。上シール筒部４６と下シール筒部４７との接続部分である段部は、吐出筒部２２の下端に係止可能となっており、下側筒部４２の吐出筒部２２に対する上方へのさらなる相対移動を規制する。
下シール筒部４７の下端部は、受筒部１１の周筒部１１Ｂの内周面に摺接している。これにより、連通孔４Ａを通した容器本体２内と計量室５との間の連通が遮断される。なお、下シール筒部４７の下端部は、下シール筒部４７のこの下端部よりも上側の部分よりも径方向内側から薄肉とされ、かつ、内径及び外径が下方に向かうにしたがって拡径されている。
【００２６】
案内筒部４３は、支持棒部１３を径方向外側から囲んでおり、案内筒部４３の下端は、支持リブ部１３Ａの上端に当接している。これにより、案内筒部４３（塗布栓部材７）の支持棒部１３に対する下方へのさらなる相対移動を規制する。案内筒部４３の下端は、下シール筒部４７の下端よりも下方に位置している。
上側筒部４４の外周面には、周方向に間隔をあけて複数の流通溝部４４Ａが形成されている。また、上側筒部４４の上端部の内周面には、径方向内側に向けて突出する第５係止突部４４Ｂが全周にわたって形成されている。
【００２７】
オーバーキャップ８は、平面視で円状の天壁部５１と、天壁部５１の外周縁から下方に向けて延設された円筒状の筒壁部５２と、筒壁部５２よりも径方向内側において天壁部５１から下方に向けて延設された円筒状の取付筒部５３と、を有する。これら天壁部５１、筒壁部５２及び取付筒部５３は、容器軸Ｏと同軸に配設されている。
【００２８】
天壁部５１のうち取付筒部５３よりも径方向内側には、下方に向けて突出する支持突部５１Ａが形成されている。
筒壁部５２の下端は、容器本体２の肩部と胴部との接続部分に当接している。
【００２９】
取付筒部５３の内径は、下方に向かうにしたがって段階的に拡径されており、取付筒部５３の上下方向の中間部の内径は、取付筒部５３の上端部の内径よりも大径とされていると共に、取付筒部５３の下端部の内径よりも小径とされている。
取付筒部５３の中間部の内周面には、径方向内側に向けて突出する第６係止突部が全周にわたって形成されている。
取付筒部５３の下端部には、容器本体２の口部３に形成された雄ネジ部と螺合する雌ネジ部が形成されている。また、取付筒部５３の下端には、容器本体２の口部３に形成された第１回止リブ部に周方向で当接する第２回止リブ部が形成されている。
【００３０】
また、オーバーキャップ８の取付筒部５３の内側には、有頂筒状のシール筒体６０が嵌合されている。シール筒体６０は、平面視で円状の天板部６１と、天板部６１の外周縁から下方に向けて延在する円筒状の外シール筒部６２と、外シール筒部６２よりも径方向内側において天板部６１から下方に向けて延設された円筒状の内シール筒部６３と、内シール筒部６３よりも径方向内側において天板部６１から下方に向けて延設された円筒状の係止筒部６４と、を有する。これら天板部６１、外シール筒部６２、内シール筒部６３及び係止筒部６４は、容器軸Ｏと同軸に配設されている。
【００３１】
天板部６１の中央部は、天板部６１の外周縁部よりも下方に窪んでいる。また、天板部６１の外周縁部における上面は、天壁部５１に形成された支持突部５１Ａの下端に当接している。
外シール筒部６２は、計量筒部材６の周壁部２７を径方向外側から囲んでおり、外シール筒部６２の下端部の内周面は、周壁部２７の外周面に摺接している。また、外シール筒部６２の下端部の内径及び外径は、この下端部よりも上側の部分の内径及び外径よりも大径とされており、外シール筒部６２の下端部は、取付筒部５３の中間部の内側に嵌合されている。さらに、外シール筒部６２の下端部の下端には、取付筒部５３に形成された上記第６係止突部が下方から係止している。これにより、シール筒体６０は、オーバーキャップ８と共に一体的に上下移動可能となっている。
【００３２】
内シール筒部６３は、吐出筒部２２の上端部を径方向外側から囲んでおり、内シール筒部６３の下端部の内周面は、吐出筒部２２の上端部の外周面に摺接している。また、内シール筒部６３の上端部の内径は、下端部の内径よりも小径とされており、内シール筒部６３の上端部と下端部との段差面は、吐出筒部２２の上端部に当接している。なお、ブラシ歯３３は、内シール筒部６３と外シール筒部６２との間に配設されている。
【００３３】
係止筒部６４の下端部の外周面には、径方向外側に向けて突出し、上側筒部４４の上端部内周面に形成された第５係止突部４４Ｂに下方から係止可能な第７係止突部６４Ａが全周にわたって形成されている。この係止筒部６４の内側には、軸部４５が配設されており、シール筒体６０の塗布栓部材７に対する上下方向の移動は、上側筒部４４及び軸部４５によって案内される。
【００３４】
次に、以上のような構成の塗布容器１の使用方法を説明する。
まず、図４に示すように、容器本体２の口部３に対してオーバーキャップ８を周方向に回転させ、オーバーキャップ８を口部３に対して上側に移動させることによって離脱させる。シール筒体６０は、オーバーキャップ８に取り付けられているため、オーバーキャップ８と共に口部３に対して上方に移動する。
【００３５】
シール筒体６０が上方移動すると、シール筒体６０の係止筒部６４が塗布栓部材７の上側筒部４４に対して上方移動し、係止筒部６４に形成された第７係止突部６４Ａが上側筒部４４の上端部に形成された第５係止突部４４Ｂに対して第５係止突部４４Ｂの下方から係止する。これにより、塗布栓部材７を中栓部材４及び計量筒部材６に対して引き上げる。そして、塗布栓部材７の下側筒部４２の下端部は、中栓部材４の受筒部１１の周筒部１１Ｂの上端から離間し、容器本体２内と計量室５とは、連通孔４Ａを通して連通する。また、塗布栓部材７の案内筒部４３は、中栓部材４の支持棒部１３に沿って上方に移動する。
【００３６】
上記引き上げにより、下側筒部４２の上シール筒部４６は、吐出筒部２２の内周面に摺接すると共に、下側筒部４２の上シール筒部４６と下シール筒部４７との接続部分である段部は、吐出筒部２２の下端開口縁に当接する。これにより、吐出孔６Ａを通した塗布容器１の外部と計量室５との連通を遮断する。なお、下側筒部４２の上シール筒部４６と下シール筒部４７との接続部分である段部は、吐出筒部２２の下端開口縁に係止しているので、計量筒部材６に対する塗布栓部材７のさらなる上方への移動が規制される。
このようにして、塗布栓部材７は、計量位置に移行される。
【００３７】
この状態でオーバーキャップ８を容器本体２の口部３に対して上方に移動させると、シール筒体６０の係止筒部６４に形成された第７係止突部６４Ａと塗布栓部材７の上側筒部４４の上端部に形成された第５係止突部４４Ｂとの係止が解除され、シール筒体６０は、塗布栓部材７に対して上方に移動する。
【００３８】
ここで、口部３の雄ネジ部及びオーバーキャップ８の雌ネジ部が二条ネジであるため、一条ネジである場合と比較して、ネジのリードが大きくなる。このため、オーバーキャップ８を容器本体２の口部３から迅速に離脱させることができると共に、塗布栓部材７を迅速に上方に移動させられる。
そして、塗布容器１を倒立姿勢にし、計量室５内に容器本体２内の内容物を流入させる。容器本体２内の内容物は、連通孔４Ａを通して計量室５内に流入する。これにより、計量室５の容積に応じた所定量の内容物が計量される。
【００３９】
続いて、図５に示すように、塗布栓部材７の上側筒部４４の上端を被塗布部Ｓに押し付ける。塗布栓部材７を被塗布部Ｓに押し付けると、塗布栓部材７は、案内筒部４３の下端が支持リブ部１３Ａの上端に当接するまで、中栓部材４及び計量筒部材６内に押し込まれ、下側筒部４２の上シール筒部４６と下シール筒部４７との接続部分である段部は、吐出筒部２２の下端から離間する。また、塗布栓部材７の上シール筒部４６は、吐出筒部２２から離間すると共に、下シール筒部４７の下端部は、中栓部材４の受筒部１１の周筒部１１Ｂに摺接する。これにより、計量室５と容器本体２の外部とは、吐出孔６Ａを通して連通されると共に、連通孔４Ａを通した容器本体２内と計量室５との連通は、遮断される。このようにして、塗布栓部材７は、塗布位置に移行される。
【００４０】
このように、塗布栓部材７を塗布位置に配置することにより、計量室５内で計量された内容物は、吐出孔６Ａを通して塗布容器１の外部である被塗布部Ｓに吐出される。また、ブラシ歯３３は、被塗布部Ｓに刺激を与える。
ここで、上側筒部４４の外周面に流通溝部４４Ａを形成しているので、上側筒部４４の外周面と吐出筒部２２の内周面との間の流路が広がり、計量室５内で計量された内容物は、塗布容器１の外部に向けてスムーズに吐出される。
また、ブラシ歯３３の上端が吐出筒部２２の上端よりも上方に突出しているが、塗布栓部材７を被塗布部Ｓに押し当てた状態では、ブラシ歯３３が弾性変形する。そのため、塗布栓部材７は、ブラシ歯３３の先端が塗布栓部材７よりも突出している影響を受けずに、中栓部材４及び計量筒部材６に対して押し込まれる。さらに、案内筒部４３の下端が支持リブ部１３Ａの上端に当接するので、塗布栓部材７の中栓部材４及び計量筒部材６に対するさらなる押し込みが規制される。
【００４１】
その後、図２に示すように、オーバーキャップ８をシール筒体６０と共に容器本体２の口部３に螺着させる。オーバーキャップ８を容器本体２の口部３に螺着させると、ブラシ歯３３は、基壁部２６、周壁部２７、外シール筒部６２及び内シール筒部６３によって区画された空間内に収容される。これにより、使用していない状態で異物がブラシ歯３３に付着することを防止すると共に、ブラシ歯３３に付着している内容物が容器本体２の外部に漏出することを規制する。
以上のようにして、容器本体２内の内容物を被塗布部Ｓに塗布する。
【００４２】
以上、本実施形態にかかる塗布容器１によれば、内容物の塗布中または塗布後にブラシ歯３３で被塗布部Ｓに刺激を与えることができると共に、使用後にオーバーキャップ８を容器本体２の口部３に装着させることにより、ブラシ歯３３に異物が付着したりブラシ歯３３に付着している内容物が塗布容器１の外部に漏出したりすることを抑制できる。
また、塗布栓部材７を被塗布部Ｓに押し付けたときにブラシ歯３３が弾性変形するので、塗布栓部材７は、ブラシ歯３３によって計量位置から塗布位置への移動が阻害されずに塗布位置へ確実に移行できる。さらに、ブラシ歯３３が塗布栓部材７よりも上方に突出しているので、ブラシ歯３３によって塗布部Ｓに対してより確実に刺激を与えられる。
【００４３】
次に、本発明による塗布容器の第２実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００４４】
本実施形態にかかる塗布容器１００は、図６に示すように、計量筒部材１０１及びオーバーキャップ１０２を備える。
計量筒部材１０１の吐出筒部２２の上下方向の中間部には、径方向外側に向けて突出する平面視で円環状の基壁部１０３が全周にわたって形成されている。
【００４５】
基壁部１０３の外周縁には、上方に向けて延在する円筒状の周壁部１０４が連設されていると共に、基壁部１０３の外周縁部には、上方に向けてブラシ歯１０５が立設されている。これら基壁部１０３、周壁部１０４及びブラシ歯１０５は、吐出筒部２２と共に同一材料で一体に形成されている。
周壁部１０４の上端部には、径方向外側に向けて突出する第１シール突部１０４Ａが全周にわたって形成されている。
ブラシ歯１０５の上端は、塗布栓部材７の上端とほぼ同一平面内に位置しており、図７に示すように、周方向に等間隔をあけて複数配設されている。なお、ブラシ歯１０５は、第１実施形態にかかるブラシ歯３３よりも高い剛性を有しており、弾性変形不能に構成されている。また、ブラシ歯１０５は、塗布栓部材７の上端よりも下方に後退していてもよい。
【００４６】
オーバーキャップ１０２の天壁部１０６のうち取付筒部１０７よりも径方向内側には、図６に示すように、下方に向けて突出する支持突部１０６Ａが形成されている。また、取付筒部１０７の上下方向の中間部には、径方向内側に向けて突出する第６係止突部が全周にわたって形成されている。
オーバーキャップ１０２の内側に嵌合されたシール筒体１０８は、平坦な円板状をなす天板部１０９、外シール筒部１１０及び内シール筒部６３を有する。
【００４７】
天板部１０９の外周縁部の上面には、支持突部１０６Ａの下端が当接している。
外シール筒部１１０の内周面は、周壁部１０４の外周面に当接している。また、外シール筒部１１０の下端には、上記第６係止突部が下方から係止している。これにより、シール筒体１０８は、オーバーキャップ１０２と共に一体的に上下移動可能となっている。さらに、外シール筒部１１０の下端部には、径方向内側に向けて突出し、周壁部１０４に形成された第１シール突部１０４Ａに下方から係止する第２シール突部１１０Ａが全周にわたって形成されている。
【００４８】
このような構成の塗布容器１００の使用方法は、上述した第１実施形態にかかる塗布容器１と同様である。
また、このような構成の塗布容器１００によっても、上述した実施形態と同様の作用、効果を奏するが、本実施形態にかかる塗布容器１００によれば、ブラシ歯１０５の先端が塗布栓部材７の上端とほぼ同一平面に位置しており、塗布栓部材７よりも上方に突出していないので、塗布栓部材７を被塗布部Ｓに押し付けたときに、塗布栓部材７は、ブラシ歯１０５によって塗布位置への移動が阻害されずに、確実に計量位置から塗布位置へ移行できる。また、ブラシ歯１０５の剛性が第１実施形態にかかるブラシ歯３３よりも高いため、ブラシ歯３３と比較して、被塗布部Ｓに対してより強い刺激を与えることができる。さらに、ブラシ歯３３を計量筒部材１０１と一体に形成しているので、塗布容器１００の部品点数を削減できる。
【００４９】
なお、本発明は上記実施形態に限定されるものではなく、本発明の趣旨を逸脱しない範囲において種々の変更を加えることができる。
例えば、オーバーキャップとシール筒体とは、別体として形成されているが、同一材料によって一体に形成されていてもよい。
ブラシ歯は、周方向に間隔をあけて複数配設されているが、少なくとも１つ形成されていればよく、第１実施形態では径方向に間隔をあけて２列配設されており、第２実施形態では１列配設されているが、３列以上配設されるなど、適宜変更してもよい。
【００５０】
オーバーキャップは、容器本体の口部に着脱自在に螺着されているが、螺着以外の他の態様により口部に装着されてもよい。
受筒部など、有底円筒状、有頂円筒状、円筒状、円柱状及び円状に形成されている部材は、必要に応じて、有底楕円筒状や有底矩形筒状など、他の形状に形成されてもよい。
係止突部など、全周にわたって形成されている部材は、必要に応じて周方向に間欠的に形成されてもよく、円弧状に形成されてもよい。
【産業上の利用可能性】
【００５１】
この発明によれば、内容物を被塗布部に塗布しながらまたは塗布した後に被塗布部に刺激を与えることが可能な塗布容器に関して、産業上の利用可能性が認められる。
【符号の説明】
【００５２】
１，１００  塗布容器、２  容器本体、３  口部、４  中栓部材、４Ａ  連通孔、５  計量室、６，１０１  計量筒部材、６Ａ  吐出孔、７  塗布栓部材、８，１０２  オーバーキャップ、２６，１０３  基壁部、２７，１０４  周壁部、３３，１０５  ブラシ歯、５１，１０６  天壁部、６２，１１０  外シール筒部、６３  内シール筒部、６４  係止筒部
【図１】
2019043588.tif 000003
【図２】
2019043588.tif 000004
【図３】
2019043588.tif 000005
【図４】
2019043588.tif 000006
【図５】
2019043588.tif 000007
【図６】
2019043588.tif 000008
【図７】
2019043588.tif 000009